(57)【要約】【課題】本発明の課題は、小さい力で容易に方向が変えられ、小回りの利く、前進から後進に変わる場合も、前進操作のみでも方向転換が済んでしまう手押し車を提供することである。【解決手段】本発明の舵取り自在手押し車は、向けたい方向にハンドルを切ると前輪がこれと一体になって向きを変えるように、前輪と後輪が一体にフレームで保持された構成を止めて、前輪と後輪を別に動くように、フレーム又は台を別に分け、後輪を保持する基台と前輪とハンドルと一体になった座台が回転結合をしたことを特徴とする。【選択図】図１
2013034556.tif 000002
【特許請求の範囲】
【請求項１】
前輪及び後輪を保持するフレーム又は及び台を別に分け、前記後輪を保持する基台と、前記前輪を保持する座台を有し、前記座台には、押すためのハンドルと前記前輪が前記フレームを介して接続され、前記基台と前記座台とが互いに離れ落ちないよう噛み合い摺動する回転結合手段を有することで、前記ハンドル操作することで前記座台、前記前輪が前記基台に対して一緒に向きが変わることを可能としたことを特徴とする舵取り自在手押し車。
【請求項２】
前記回転結合手段は、円形の中心軸側が開いたリング形状部での結合であることを特徴とする請求項１記載の舵取り自在手押し車。
【請求項３】
前記回転結合手段がリング形状部での結合であることで、リング形状部の内側に便座として利用する場合の便穴を前記基台及び前記座台に設け、前記座台には、前記便座の蓋となる開閉する座板を設けた車椅子あることを特徴する請求項２記載の舵取り自在手押し車。
【請求項４】
前記便器が前記後輪のある後方から、前記基台と前記後輪がこれらの内側に形成する空間に入るように、前記基台の下に前記便器用空間を形成した車椅子であることを特徴とする請求項３記載の舵取り自在手押し車。
【請求項５】
前記前輪と前記後輪で前記前輪側に大きな径の車輪を付けたことを特徴とする請求項１から請求項４のいずれか一つに記載の舵取り自在手押し車。
【請求項６】
前記座台と前記基台の前記回転結合手段による結合をしたままで、少なくとも前記後輪、及び前記前輪を前記座台の左右側に折るための回転折手段と折込をしない場合の固定手段を有することで、左右の折りたたみを可能としたことを特徴とする請求項１から請求項５のいずれか一つに記載の舵取り自在手押し車。
【請求項７】
前記便穴の周りの前記座台の用便時の汚れを防止するために、前記便穴のある前記座台の穴壁を覆う便座穴カバーを有することを特徴とする請求項３又は請求項４に記載の舵取り自在手押し車。
【請求項８】
前記便穴のある前記座台の穴壁を覆うための上下部が開いた逆さハット形状を有することを特徴とする請求項７記載の舵取り自在手押し車に使用する便座穴カバー。
【発明の詳細な説明】
【技術分野】
【０００１】
本発明は、小さい力で舵取りができ、小回りが可能な車椅子、歩行器（老人用手押し車、シルバーカー）、乳母車（ベビーカー）などの手押し車に関するものである。
【背景技術】
【０００２】
従来の手押し車は、図６に示すようなものであって、その改良の発明は、特許文献１に見るように多くの特許文献が存在する。
【０００３】
多くの従来提案があるにも関わらす、基本的には、図６に示す手押し車（６−Ａには、車椅子、６−Ｂには、歩行器が示されている）の特徴とそこに付随する欠点は克服されず、その提案さえも飽和しつつある感が否めないのが現状である。即ち、従来品は、補助者がハンドルを押して手押し車を進行する際に、向きを変える場合は、前輪か後輪を少し持ち上げるようにして方向を変えなければならない。少し慣れると、キャスターである前輪への力の掛け方の具合によりキャスターが向きを変えることを利用できるが、重く力の要る作業である。又、スムーズに曲がることや小回りは期待できない。曲がり角の回転や前進から後進に切り替える場合は、各々９０度、１８０度回転しないといけないので、大回りになるか前輪か後輪を盛り上げての回転になる。特に車椅子では被介護者を乗せての作業は、その体重を考えると重作業になっている。
【先行技術文献】
【特許文献】
【０００４】
【特許文献１】特開平１１−２２１２５３
【発明の概要】
【発明が解決しようとする課題】
【０００５】
本発明の課題は、小さい力で容易に方向が変えられ、小回りの利く、前進から後進に変わる場合も、前進操作のみでも方向転換が済んでしまう手押し（引く場合も含む）車を提供することである。
【課題を解決するための手段】
【０００６】
本発明の舵取り自在手押し車は、向けたい方向にハンドルを切ると前輪がこれと一体になって向きを変えるように、前輪と後輪が一体にフレームで保持された従来品の構成を止めて、前輪と後輪を別に動くように、フレーム又は及び台を別に分け、後輪を保持する基台と前輪、（車椅子ではフットレストも）とハンドルと一体になった座台が回転結合をしたことを特徴とする。以下、請求項に沿って説明する。
【０００７】
請求項１記載の発明は、舵取り自在手押し車であって、前輪及び後輪を保持するフレーム又は及び台を別に分け、前記後輪を保持する基台と、前記前輪を保持する座台を有し、
前記座台には、押すためのハンドルと前記前輪が前記フレームを介して接続され、前記基台と前記座台とが互いに離れ落ちないよう噛み合い摺動する回転結合手段を有することで、前記ハンドル操作することで前記座台、前記前輪が前記基台に対して一緒に向きが変わることを可能としたことを特徴とする。
【０００８】
請求項２記載の発明は、請求項１記載の舵取り自在手押し車において、前記回転結合手段は、円形の中心軸側が開いたリング形状部での結合であることを特徴とする。
【０００９】
請求項３記載の発明は、請求項２記載の舵取り自在手押し車において、前記回転結合手段がリング形状部での結合であることで、リング形状部の内側に便座として利用する場合の便穴を前記基台及び前記座台に設け、前記座台には、前記便座の蓋となる開閉する座板を設けた車椅子あることを特徴する。
【００１０】
請求項４記載の発明は、請求項３記載の舵取り自在手押し車において、前記便器が前記後輪のある後方から、前記基台と前記後輪がこれらの内側に形成する空間に入るように、前記基台の下に前記便器用空間を形成した車椅子であることを特徴とする。
【００１１】
請求項５記載の発明は、請求項１から請求項４のいずれか一つに記載の舵取り自在手押し車において、前記前輪と前記後輪で前記前輪側に大きな径の車輪を付けたことを特徴とする。
【００１２】
請求項６記載の発明は、請求項１から請求項５のいずれか一つに記載の舵取り自在手押し車において、前記座台と前記基台の前記回転結合手段による結合をしたままで、少なくとも前記後輪、及び前記前輪を前記座台の左右側に折るための回転折手段と折込をしない場合の固定手段を有することで、左右の折りたたみを可能としたことを特徴とする。
【００１３】
請求項７記載の発明は、請求項３又は請求項４に記載の舵取り自在手押し車において、前記便穴の周りの前記座台の用便時の汚れを防止するために、前記便穴のある前記座台の穴壁を覆う便座穴カバーを有することを特徴とする。
【００１４】
請求項８記載の発明は、請求項７記載の舵取り自在手押し車に使用する便座穴カバーであって、前記便穴のある前記座台の穴壁を覆うための上下部が開いた逆さハット形状を有することを特徴とする。
【発明の効果】
【００１５】
以上の様に構成されているので、本発明の舵取り自在手押し車は、後輪を保持する基台に対して、ハンドル、座台、（車椅子ではフットレストも）、前輪が一緒に向きを変えることが可能であるため、小さな力のハンドル操作で容易に向きが変わり、全く前進が無くとも回転操作で何度でも向きが変わるため、前進操作のみでも後進方向に進むことも可能になる。小回りの利く手押し車を実現できる。
【図面の簡単な説明】
【００１６】
【図１】本発明による舵取り自在手押し車の一実施態様を示す図である。
【図２】本発明による舵取り自在手押し車の基台と座台の回転結合部の一実施態様を示す図である。
【図３】本発明において便座機能を有する舵取り自在手押し車の一実施態様を示す図である。
【図４】本発明において折りたたみ可能な舵取り自在手押し車の一実施態様を示す図である。
【図５】本発明において前輪が大きい径を有する舵取り自在手押し車の一実施態様を示す図である。
【図６】従来の手押し車を示す図である。
【発明を実施するための形態】
【００１７】
本発明による舵取り自在手押し車は、向けたい方向にハンドルを切ると前輪がこれと一体になって向きを変えるように、前輪と後輪を別に動くように、フレーム又は台を別に分け、後輪を保持する基台と前輪、（車椅子ではフットレストも）とハンドルと一体になった座台が回転結合をしたことを特徴としている。以下、実施例を用い説明する。
【００１８】
図１は、本発明による舵取り自在手押し車の一実施態様を示す図である。
１−Ａ、１−Ｂは手押し車が車椅子の場合の例である。
１−Ａは舵取り自在手押し車である車椅子の全体像であり、１−Ｂは、後輪を保持する基台と前輪、フットレスト、ハンドルと一体になった座台が回転結合している状態を示すように切り離して示している。後輪１０１は、基台１０２に接続したフレームＡ１０３に回転自在に取り付けられている。後輪１０１は、１つでも可能だが、左右で１つずつ有るほうがよい。図では、フレームＡ１０３の前側に補助輪１０４があって、基台１０２を支えているが、これがなくとも車椅子全体は後輪と前輪で支えられるため必ずしも必要は無い。
基台１０２の上には、基台１０２に対して座台が回転自在に結合するための回転結合手段Ａ１０５Ａがある。座台１０６は、被介護者が座るための椅子の座部であり、これには、肘掛１０７、背もたれ１０８、補助者が握るハンドル１０９、フレームＢ１１０を介して前輪１１１、足を置くためのフットレスト１１２が付いている。座台１０６の下には、回転結合手段Ｂ１０５Ｂがあり、回転結合手段Ａ１０５Ａと回転結合手段Ｂ１０５Ｂにより基台１０２と座台１０６が回転自在に結合している。尚、図には省略したが、特に、後輪の回転を阻むようにブレーキ機構を有することが好ましい。
【００１９】
１−Ｃ、１−Ｄは手押し車が歩行器の場合の例である。
１−Ｃは舵取り自在手押し車である歩行器の全体像であり、１−Ｄは、後輪を保持する基台と前輪、ハンドルと一体になった座台が回転結合している状態を示すように切り離して示している。後輪１０１は、基台１０２に接続したフレームＡ１０３に回転自在に取り付けられている。基台１０２の上には、基台１０２に対して座台が回転自在に結合するための回転結合手段Ａ１０５Ａがある。座台１０６は、その上に載せる収納箱１１４とその蓋と椅子として使う場合の座板１１５を有している。座台１０６には、肘掛１０７、背もたれ１０８、ハンドル１０９、フレームＢ１１０を介して前輪１１１が付いている。座台１０６の下には、回転結合手段Ｂ１０５Ｂがあり、回転結合手段Ａ１０５Ａと回転結合手段Ｂ１０５Ｂにより基台１０２と座台１０６が回転自在に結合している。
【００２０】
回転は、歩行器（老人用手押し車、シルバーカー）では、便座としての用途が考えないので、一般に考えるように１−Ｄに示すように中心軸を介した結合でも可能であるが、車椅子では、基台１０２と座台１０６に穴を有する便座として使用することや結合強度を考えると、円輪（リング）形状での摺動結合をした方が好ましい。
図２は本発明による舵取り自在手押し車の基台と座台の回転結合部の一実施態様を示す図である。円輪形状での摺動結合の場合を示している。２−Ａ、２−Ｂにおいて、基台１０２の上には座台１０６が搭載されている。基台１０２には、円輪形状の回転結合手段Ａ１０５Ａがある。座台１０６には、同様に円輪形状の回転結合手段Ｂ１０５Ｂがあり、両者は、図の断面が示すように、抜け落ちないように噛み合っていているが円形の噛み合いなので、互いに自由に回転が可能である。２−Ａでは、基台１０２と座台１０６の向き合う面内で噛み合いを持つ場合であり、２−Ｂでは、基台１０２と座台１０６の端の側面で噛み合いを持つ例である。２−Ｃのように、側面で噛み合いを基台１０２と座台１０６のどちらかが他方をカバーするようにしてもよい。座台１０６は、ここでは、座るための座平板１０６Ｂと回転結合手段Ｂ１０５Ｂを有する座回転板１０６Ａを有している。これは、図で見るように、基台１０２と座回転板１０６Ａの円輪形状の回転結合手段Ａ１０５Ａ、回転結合手段Ｂ１０５Ｂより円の中心側に、便座として使用する場合の便座穴１１３を備えているからである。それゆえ、座平板１０６Ｂは、椅子の座であるとともに便座の蓋ともなりえるため座回転板１０６Ａの上に座平板１０６Ｂは載っているとともに、背もたれ１０８のある側で、両者は回転結合をし、蓋としての開閉が可能でなければならない。便座としての用途が無ければ、便座穴１１３は必要がなく、座平板１０６Ｂと座回転板１０６Ａは、一体であり、もともと分かれている必要は無い。
尚、車椅子や歩行器と全く同様に、乳母車（ベビーカー）においても、適用できることは構成の類似性を考慮すると当然であるので記述を省略する。
【００２１】
図３は、本発明において便座機能を有する舵取り自在手押し車が車椅子である場合の一実施態様を示す図である。座回転板１０６Ａは、便座としての用途では、座ったときの接触感が良いように上面はクッション性又は通常の便座のように樹脂性の肌触りの着座の特徴と、回転結合をするための噛み合い部の堅牢性の特徴との両方が必要であるため、図では、２枚の材料（例えば、下側が金属、上側が樹脂）で構成され、固定一体化されている例を示している。便座としての用途を更に説明をする。３−Ａにおいて、座平板１０６Ｂが背もたれ１０８のある側に寄せて開いた状態になっている。便座穴１１３が見えている。３−Ｂには、座平板１０６Ｂが開く前後の状態を示している。同時に、便座穴１１３の周りは、使用により汚れるため、便座穴１１３をカバーする取替え可能な便座穴カバー３０１を示している。
便座穴カバー３０１は、上下部が開いた逆さハット形状になっていて、ハットのつば部は押さえ用となっている。
便座穴カバー３０１は、処分を考慮すると紙製のものが好ましい。使用においては、便座穴１１３の下には便器が来ることになる。基台１０２と便座の関係を３−Ｃと３−Ｄを用いて説明する。３−Ｃは、基台１０２とこれに付属したものを横からの斜視図として描いてある。矢印の側から見たものが３−Ｄに示す。３−Ｃにおいて、横の点線の長さ分が奥行長、３−Ｄにおいて点線が示す矩形の空間が間口面積となった直方体の空間が後輪１０１のある後方から開いているので、ここに便器３０２を入れることが可能である。よって、３−Ｅのように、通常のトイレの便器の上に車椅子ごと後ろ向きに入ると、車椅子を利用して座ったまま用便することが可能である。
【００２２】
図４は、本発明における舵取り自在手押し車が折りたたみ可能な車椅子である場合の一実施態様を示す図である。
４−Ａは折りたたむ前の状態から４−Ｅ、４−Ｆは完全に折りたたんだ状態であり、他はその途中の折りたたみ状態を示している。４−Ａから４−Ｆへ順に説明する。４−Ａの通常の状態から、４−Ｂにおいて先ず、背もたれ１０８とハンドル１０９が座台１０６側に折りたたまれている。４−Ｃでは、更に肘掛１０７が左右に開くように折りたたまれている。４−Ｄでは、左右の後輪１０１を支える各々のフレームを切り離す。このことにより、後輪１０１を支える各々のフレームが左右に折り曲げることが可能になる。４−Ｅにおいて、後輪１０１とそのフレームが折りたたまれ、更に前輪１１１とそれが付いたフレーム１１０が座台１０６との接続部の周辺で回転され左右に開くようにして折りたたまれている。
以上の折りたたみに必要な部分には、回転結合部と折りたたむ前の状態を堅固に固定する固定部があることは言うまでもない。４−Ｆは、４−Ｅの折りたたみ状態を矢印の方向から見た状態を示す。ハンドル１０９は、左右に畳むようにすると更に畳んだ状態が平坦になる。
【００２３】
図５は、本発明における舵取り自在手押し車が車椅子である場合に前輪が大きい径を有する車椅子の一実施態様を示す図である。
図で明らかなように前輪と後輪の関係を交換して取り付けたものである。今まで、後輪が大きな車輪で、手で回すためのハンドリングも付いていたものであり、前輪は小さな車輪であるものを例に説明したが、逆に前輪側が大きな車輪、ハンドリング付、後輪側が小さな車輪でも事情は変わらない。反対にした場合は、以下の特徴がある。
後輪が大きい場合は、向きを回転する座台１０６の最下端より、後輪の上端は下側にないと、回転時にぶつかり回転ができなくなるので、後輪のサイズは、座台１０６の最下端より下になるサイズである必要があった。前輪が大きい場合には、その制限はない。前輪が大きい場合は、段差を押し上げる場合は力が小さくてよい利点がある。然しながら、前輪が大きい分、フットレストが邪魔にならなくても、被介護者が床上を横移動する際に邪魔になる可能性があるため、配置に工夫を要する。
【産業上の利用可能性】
【００２４】
以上のように本発明に係る舵取り自在手押し車は、ハンドル、座台、（車椅子の場合はフットレストも）、前輪が一緒に向きを変えることが可能であるため、小さな力のハンドル操作で容易に向きが変わり、全く前進が無くとも回転操作で如何なる角度でも向きが変わるため、前進操作のみでも後進方向に進むことも可能になり、小回りが利くので、産業上利用性が極めて大きい。
【符号の説明】
【００２５】
１０１  後輪
１０２  基台
１０３  フレームＡ
１０４  補助輪
１０５Ａ  回転結合手段Ａ
１０５Ｂ  回転結合手段Ｂ
１０６  座台
１０６Ａ  座回転板
１０６Ｂ  座平板
１０７  肘掛
１０８  背もたれ
１０９  ハンドル
１１０  フレームＢ
１１０Ａ  先端側フレーム
１１０Ｂ  座台側フレーム
１１１  前輪
１１２  フットレスト
１１３  便座穴
１１４  収納箱
１１５  座板
３０１  便座穴カバー
３０２  便器
【図１】
2013034556.tif 000003
【図２】
2013034556.tif 000004
【図３】
2013034556.tif 000005
【図４】
2013034556.tif 000006
【図５】
2013034556.tif 000007
【図６】
2013034556.tif 000008